(57)【要約】【課題】利用者を煩わせることなく、利用者の好みの音場設定を支援する。【解決手段】複数の周波数帯の中から任意に定められた第１周波数帯に対し、予め定められた第１設定範囲の中から第１補正レベルを任意に特定されると、第１周波数帯以外の第２周波数帯に対応した第１設定範囲よりも狭い範囲の第２設定範囲が、隣接する前記周波数帯の補正レベルに基づいて特定される。そして、第２設定範囲の中から第２周波数帯に対する第２補正レベルが特定され、第１及び第２補正レベルに基づいて補正レベル情報が生成される。そして、該補正レベル情報に基づいてテスト信号が補正信号に補正され、出力された補正信号に対応する補正レベル情報が利用者等に選択されると、利用者等に対応した該補正レベル情報が設定される。【選択図】図１
2007134879.tif 000002
【特許請求の範囲】
【請求項１】
信号の周波数帯域に対応して予め定められた複数の周波数帯に対し、その周波数帯レベルを補正する補正レベルを示す補正レベル情報を生成する補正レベル情報生成装置であって、
前記複数の周波数帯の中から任意に定められた第１周波数帯に対し、予め定められた第１設定範囲の中から第１補正レベルを任意に特定する第１補正レベル特定手段と、
前記複数の周波数帯における第１周波数帯以外の第２周波数帯に対応し、かつ、前記第１設定範囲よりも狭い範囲の第２設定範囲を、隣接する前記周波数帯の補正レベルに基づいて特定する第２設定範囲特定手段と、
前記第２設定範囲特定手段が特定した第２設定範囲の中から前記第２周波数帯に対する第２補正レベルを任意に特定する第２補正レベル特定手段と、
前記第１補正レベル特定手段が特定した第１補正レベルと前記第２補正レベル特定手段が特定した第２補正レベルとに基づいて前記補正レベル情報を生成する補正レベル情報生成手段と、
を有することを特徴とする補正レベル情報生成装置。
【請求項２】
前記第１設定範囲を利用者等に変更させる第１設定範囲変更手段を有するとともに、前記第１補正レベル特定手段が、前記第１設定範囲変更手段によって変更された第１設定範囲の中から第１補正レベルを任意に特定するようにしたことを特徴とする請求項１に記載の補正レベル情報生成装置。
【請求項３】
前記第２設定範囲特定手段が特定した前記第２設定範囲を利用者等に変更させる第２設定範囲変更手段を有するとともに、前記第２補正レベル特定手段が、前記第２設定範囲変更手段によって変更された第２設定範囲の中から第２補正レベルを任意に特定するようにしたことを特徴とする請求項１又は２に記載の補正レベル情報生成装置。
【請求項４】
前記信号の周波数帯域における任意の周波数範囲を前記利用者等に選択させる周波数範囲選択手段と、
前記周波数範囲選択手段によって選択された周波数範囲に対応する前記周波数帯の中から第１周波数帯を特定する第１周波数帯特定手段と、
を有するとともに、
前記第１補正レベル特定手段が、前記第１周波数帯特定手段によって特定された第１周波数帯の第１補正レベルを任意に特定するようにしたことを特徴とする請求項１〜３の何れか１項に記載の補正レベル情報生成装置。
【請求項５】
信号の周波数帯域に対応して予め定められた複数の周波数帯の周波数帯レベルを、予め定められた補正レベル情報が示す補正レベルに基づいて補正するとともに、電気的に接続された信号出力手段に前記補正した信号を供給するイコライザ装置において、
請求項１〜４の何れか１項に記載の補正レベル情報生成装置と、
テスト信号を発生するテスト信号発生手段と、
前記テスト信号発生手段が発生したテスト信号を、前記補正レベル情報生成装置の補正レベル情報生成手段が生成した補正レベル情報に基づいて補正して前記信号出力手段に供給するテスト信号補正手段と、
前記テスト信号補正手段が供給した補正信号の前記信号出力手段による出力に応じて、該補正信号に対応した補正レベル情報を記憶するか否かを利用者等に選択させる補正レベル情報選択手段と、
前記補正レベル情報選択手段によって選択された補正レベル情報を記憶する補正レベル情報記憶手段と、
前記補正レベル情報記憶手段が記憶している補正レベル情報に基づいて前記信号を補正する信号補正手段と、
を有することを特徴とするイコライザ装置。
【請求項６】
前記補正レベル情報記憶手段が記憶している補正レベル情報を変更する変更情報を取り込む変更情報取込手段と、
前記変更情報取込手段が取り込んだ変更情報に基づいて、前記補正レベル情報記憶手段が記憶している補正レベル情報を変更する補正レベル情報変更手段と、
を有することを特徴とする請求項５に記載のイコライザ装置。
【請求項７】
請求項５又は６に記載のイコライザ装置と、該イコライザ装置に入力する前記信号を発生する信号発生手段と、該イコライザ装置が供給する信号を出力する信号出力手段と、を有することを特徴とするオーディオ装置。
【請求項８】
信号の周波数帯域に対応して予め定められた複数の周波数帯に対し、その周波数帯レベルを補正する補正レベルを示す補正レベル情報を生成し、利用者等の好みに適した前記補正レベル情報を前記利用者等に設定させる補正レベル情報設定方法であって、
（イ）前記複数の周波数帯の中から任意に定められた第１周波数帯に対し、予め定められた第１設定範囲の中から第１補正レベルを任意に特定する過程と、
（ロ）前記複数の周波数帯における第１周波数帯以外の第２周波数帯に対応した前記第１設定範囲よりも狭い範囲の第２設定範囲を、隣接する前記周波数帯の補正レベルに基づいて特定する過程と、
（ハ）前記特定した第２設定範囲の中から前記第２周波数帯に対する第２補正レベルを任意に特定する過程と、
（ニ）前記特定した第１補正レベルと第２補正レベルとに基づいて前記補正レベル情報を生成する過程と、
（ホ）前記補正レベル情報に基づいてテスト信号を補正信号に補正する過程と、
（ヘ）前記補正信号の出力に応じて、該補正信号に対応した補正レベル情報を記憶するか否かを利用者等に選択させる過程と、
（ト）前記選択された補正レベル情報を前記利用者等に対応した補正レベル情報として設定する過程と、
を有することを特徴とする補正レベル情報設定方法。
【発明の詳細な説明】
【技術分野】
【０００１】
本発明は、信号の周波数帯域に対応して予め定められた複数の周波数帯に対し、その周波数帯レベルを補正する補正レベルを示す補正レベル情報の設定を支援する補正レベル情報生成装置、イコライザ装置、オーディオ装置、及び、補正レベル情報設定方法等の技術分野に関する。
【背景技術】
【０００２】
オーディオ再生装置などには、再生または録音時に、音の信号の周波数特性を補正・変更するイコライザ装置が組み込まれている。イコライザ装置は、周波数帯域内に複数の周波数帯域を設定し、それぞれの周波数帯域のゲインを上昇、下降させることが可能であり、再生周波数帯域全体として部屋の音響特性を補正し、ユーザの好みに合う音質が得られる音場に補正することを可能としている。なお、音場とは、空間が持つ固有の音の響きを意味している。
【０００３】
特許文献１に示すイコライザ装置は、レベル操作手段に対する１つの操作によって、複数の周波数帯域のレベルをレベル調整手段によって調整し、１つの操作で同時に調整することを可能とすることで、オーディオについてあまり詳しくないユーザでも、容易に好みの音質に調整することを目的としてきた。
【特許文献１】特開平１１−２６１９２８号公報
【発明の開示】
【発明が解決しようとする課題】
【０００４】
しかしながら、上述したイコライザ装置は、ポップス、ロック、クラシック等の音楽のジャンルに対応したテーブルをメモリに記憶しておき、利用者によって選択されたジャンルに対応したテーブルに基づいて、周波数帯域毎にレベルをプリセットさせるものであり、それが利用者の好みに適していないと、結局は利用者が周波数帯域毎のレベル調整を行う必要があった。特に、多くの周波数帯域を設定している場合は、変更する数も増えてしまういとう問題があった。
【０００５】
また、近年では、利用者の視聴位置にマイクロフォンを設置し、スピーカから出力したテスト信号をマイクフォンで測定を行い、最適な音場設定を行うイコライザ装置も存在するが、その音場が利用者の好みに合っているとは限らないため、利用者が周波数帯域毎のレベル調整を依然として行う必要があった。本発明が解決しようとする課題は、上記した問題が一例として挙げられる。
【０００６】
よって本発明は、上述した問題点等に鑑み、利用者を煩わせることなく、利用者の好みに適した音場設定を支援することができる補正レベル情報生成装置、イコライザ装置、オーディオ装置、及び、補正レベル情報設定方法等を提供することを課題としている。
【課題を解決するための手段】
【０００７】
上記課題を解決するため本発明によりなされた請求項１記載の補正レベル情報生成装置は、信号の周波数帯域に対応して予め定められた複数の周波数帯に対し、その周波数帯レベルを補正する補正レベルを示す補正レベル情報を生成する補正レベル情報生成装置であって、前記複数の周波数帯の中から任意に定められた第１周波数帯に対し、予め定められた第１設定範囲の中から第１補正レベルを任意に特定する第１補正レベル特定手段と、前記複数の周波数帯における第１周波数帯以外の第２周波数帯に対応し、かつ、前記第１設定範囲よりも狭い範囲の第２設定範囲を、隣接する前記周波数帯の補正レベルに基づいて特定する第２設定範囲特定手段と、前記第２設定範囲特定手段が特定した第２設定範囲の中から前記第２周波数帯に対する第２補正レベルを任意に特定する第２補正レベル特定手段と、前記第１補正レベル特定手段が特定した第１補正レベルと前記第２補正レベル特定手段が特定した第２補正レベルとに基づいて前記補正レベル情報を生成する補正レベル情報生成手段と、を有することを特徴とする。
【０００８】
上記課題を解決するため本発明によりなされた請求項５記載のイコライザ装置は、信号の周波数帯域に対応して予め定められた複数の周波数帯の周波数帯レベルを、予め定められた補正レベル情報が示す補正レベルに基づいて補正するとともに、電気的に接続された信号出力手段に前記補正した信号を供給するイコライザ装置において、請求項１〜４の何れか１項に記載の補正レベル情報生成装置と、テスト信号を発生するテスト信号発生手段と、前記テスト信号発生手段が発生したテスト信号を、前記補正レベル情報生成装置の補正レベル情報生成手段が生成した補正レベル情報に基づいて補正するテスト信号補正手段と、前記テスト信号補正手段が補正した補正信号の前記信号出力手段への供給に応じて、該補正信号に対応した補正レベル情報を記憶するか否かを利用者等に選択させる補正レベル情報選択手段と、前記補正レベル情報選択手段によって選択された補正レベル情報を記憶する補正レベル情報記憶手段と、前記補正レベル情報記憶手段が記憶している補正レベル情報に基づいて前記信号を補正する信号補正手段と、を有することを特徴とする。
【０００９】
上記課題を解決するため本発明によりなされた請求項７記載のオーディオ装置は、請求項５又は６に記載のイコライザ装置と、該イコライザ装置に前記信号を出力する信号出力手段と、該イコライザ装置が供給する信号を出力する信号出力手段と、を有することを特徴とする。
【００１０】
上記課題を解決するため本発明によりなされた請求項８記載の補正レベル情報設定方法は、信号の周波数帯域に対応して予め定められた複数の周波数帯に対し、その周波数帯レベルを補正する補正レベルを示す補正レベル情報を生成し、利用者等の好みに適した前記補正レベル情報を前記利用者等に設定させる補正レベル情報設定方法であって、（イ）前記複数の周波数帯の中から任意に定められた第１周波数帯に対し、予め定められた第１設定範囲の中から第１補正レベルを任意に特定する過程と、（ロ）前記第１周波数帯以外の第２周波数帯に対応した前記第１設定範囲よりも狭い範囲の第２設定範囲を、隣接する前記周波数帯の補正レベルに基づいて特定する過程と、（ハ）前記特定した第２設定範囲の中から前記第２周波数帯に対する第２補正レベルを任意に特定する過程と、（ニ）前記特定した第１補正レベルと第２補正レベルとに基づいて前記補正レベル情報を生成する過程と、（ホ）前記補正レベル情報に基づいてテスト信号を補正信号に補正する過程と、（ヘ）前記補正信号の出力に応じて、該補正信号に対応した補正レベル情報を記憶するか否かを利用者等に選択させる過程と、（ト）前記選択された補正レベル情報を前記利用者等に対応した補正レベル情報として設定する過程と、を有することを特徴とする。
【発明を実施するための最良の形態】
【００１１】
以下、本発明に係る補正レベル情報生成装置、イコライザ装置、オーディオ装置、及び、補正レベル情報設定方法の一最良の形態を、図１の図面を参照して説明する。なお、図１は本発明に係る補正レベル情報生成装置及びイコライザ装置を有するオーディオ装置の基本構成の一例を示す構成図である。
【００１２】
図１において、補正レベル情報生成装置１０は、信号の周波数帯域に対応して予め定められた複数の周波数帯に対し、その周波数帯レベルを補正する補正レベルを示す補正レベル情報を生成する補正レベル情報生成装置１であって、前記複数の周波数帯の中から任意に定められた第１周波数帯に対し、予め定められた第１設定範囲の中から第１補正レベルを任意に特定する第１補正レベル特定手段１７ａと、前記複数の周波数帯における第１周波数帯以外の第２周波数帯に対応し、かつ、前記第１設定範囲よりも狭い範囲の第２設定範囲を、隣接する前記周波数帯の補正レベルに基づいて特定する第２設定範囲特定手段１７ｂと、前記第２設定範囲特定手段１７ｂが特定した第２設定範囲の中から前記第２周波数帯に対する第２補正レベルを任意に特定する第２補正レベル特定手段１７ｃと、前記第１補正レベル特定手段１７ａが特定した第１補正レベルと前記第２補正レベル特定手段１７ｃが特定した第２補正レベルとに基づいて前記補正レベル情報を生成する補正レベル情報生成手段１７ｄと、を有している。
【００１３】
この補正レベル情報生成装置１０によれば、信号の周波数帯域において複数の周波数帯が定められ、その中から第１周波数帯が利用者等によって任意に定められると、該第１設定範囲の中から第１補正レベル特定手段１７ａによって第１補正レベルが任意に特定される。そして、第２の周波数帯に対応して第１設定範囲よりも狭い範囲の第２設定範囲が、その第１補正レベル等の隣接する周波数帯の補正レベルに基づいて、第２設定範囲特定手段１７ｂによって特定される。そして。その第２設定範囲の中から第２周波数帯に対する第２補正レベルが第２補正レベル特定手段１７ｃによって任意に設定されると。該第２補正レベルと第１補正レベルとに基づいて、各周波数帯の補正レベルを示す補正レベル情報が補正レベル情報生成手段１７ｄによって生成される。
【００１４】
このように、第１周波数帯の第１補正レベルを第１設定範囲の中から特定し、第１設定範囲よりも範囲の狭い第２設定範囲を隣接する周波数帯に対して特定し、その第２設定範囲から第２補正レベルを特定し、それらの補正レベルに基づいて補正レベル情報を生成するようにしたことから、各周波数帯間の補正レベルは信号の周波数帯域において滑らかな補正カーブとすることができるため、種々異なる補正カーブを示すより多くの補正レベル情報を提供することができる。従って、補正レベル情報に基づいて補正した信号を利用者等に確認させることで、利用者等は複数の周波数帯を一つ一つ設定する必要がなくなるため、利用者等を煩わせることなく、好みの音場設定を支援することができる。
【００１５】
また、補正レベル情報生成装置１は、前記第１設定範囲を利用者等に変更させる第１設定範囲変更手段１７ｅを有するとともに、前記第１補正レベル特定手段１７ａが、前記第１設定範囲変更手段１７ｅによって変更された第１設定範囲の中から第１補正レベルを任意に特定するようにしている。
【００１６】
この補正レベル情報生成装置１によれば、第１設定範囲変更手段１７ｅによって利用者等に第１設定範囲を変更させると、該変更された第１設定範囲の中から第１補正レベルが第１補正レベル特定手段１７ａによって任意に特定される。
【００１７】
このように、基準となる第１設定範囲を利用者等に変更させて、その範囲の中から第１補正レベルを特定するようにしたことから、第１補正レベルは利用者等の好みに近い第１補正レベルを任意に特定することができるため、利用者等の好みの補正レベル情報を速やかに生成する可能性を高めることができる。従って、利用者等の好みをある程度絞り込めるため、速やかな音場設定に貢献することができる。
【００１８】
また、補正レベル情報生成装置１は、前記第２設定範囲特定手段１７ｂが特定した前記第２設定範囲を、利用者等に変更させる第２設定範囲変更手段１７ｆを有するとともに、前記第２補正レベル特定手段１７ｃが、前記第２設定範囲変更手段１７ｆによって変更された第２設定範囲の中から第２補正レベルを任意に特定するようにしている。
【００１９】
この補正レベル情報生成装置１によれば、第２設定範囲変更手段１７ｆによって利用者等に第２設定範囲を変更させると、該変更された第２設定範囲の中から第２補正レベルが第２補正レベル特定手段１７ｃによって任意に特定される。
【００２０】
このように、第２設定範囲を利用者等に変更させて、その範囲の中から第２補正レベルを特定するようにしたことから、第２補正レベルに利用者等の好みを反映することができるため、利用者等の好みの補正カーブに近い補正レベル情報を速やかに生成する可能性を高めることができる。従って、利用者等の好みをある程度絞り込めるため、速やかな音場設定に貢献することができる。
【００２１】
また、補正レベル情報生成装置１は、前記信号の周波数帯域における任意の周波数範囲を前記利用者等に選択させる周波数範囲選択手段１７ｇと、前記周波数範囲選択手段１７ｇによって選択された周波数範囲に対応する前記周波数帯の中から第１周波数帯を特定する第１周波数帯特定手段１７ｈと、を有するとともに、前記第１補正レベル特定手段１７ａが、前記第１周波数帯特定手段１７ｈによって特定された第１周波数帯の第１補正レベルを任意に特定するようにしている。
【００２２】
この補正レベル情報生成装置１によれば、周波数範囲選択手段１７ｇによって信号の周波数帯における、例えば、高音域、低音域等の任意の周波数範囲が利用者等によって選択されると、その周波数範囲に対応する周波数帯の中から第１周波数帯が第１周波数帯特定手段１７ｈによって特定される。そして、該第１周波数帯の補正レベルが第１補正レベル特定手段１７ａによって任意に特定される。
【００２３】
このように、信号の周波数帯域の中から任意の周波数範囲を利用者等に選択させ、その周波数範囲の中から第１周波数帯を特定して第１補正レベルを特定するようにしたことから、利用者等の好みを絞り込むことができるため、利用者等の好みの補正カーブに近い補正レベル情報を速やかに生成する可能性を高めることができる。従って、利用者等の好みをある程度絞り込めるため、速やかな音場設定に貢献することができる。
【００２４】
また、イコライザ装置２は、信号の周波数帯域に対応して予め定められた複数の周波数帯の周波数帯レベルを、予め定められた補正レベル情報が示す補正レベルに基づいて補正するとともに、電気的に接続された信号出力手段１２に前記補正した信号を供給するイコライザ装置において、上述した何れかに記載の補正レベル情報生成装置１と、テスト信号を発生するテスト信号発生手段１７ｉと、前記テスト信号発生手段１７ｉが発生したテスト信号を、前記補正レベル情報生成装置１の補正レベル情報生成手段１７ｄが生成した補正レベル情報に基づいて補正して前記信号出力手段１２に供給するテスト信号補正手段１６ａと、前記テスト信号補正手段１６ａが供給した補正信号の前記信号出力手段１２による出力に応じて、該補正信号に対応した補正レベル情報を記憶するか否かを利用者等に選択させる補正レベル情報選択手段１７ｊと、前記補正レベル情報選択手段１７ｊによって選択された補正レベル情報を記憶する補正レベル情報記憶手段１３と、前記補正レベル情報記憶手段１３が記憶している補正レベル情報に基づいて前記信号を補正する信号補正手段１６ｂと、を有している。
【００２５】
このイコライザ装置２によれば、テスト信号発生手段１７ｉが発生したテスト信号は、補正レベル情報生成装置１が生成した補正レベル情報に基づいてテスト信号補正手段１６ａによって補正されて補正信号として信号出力手段１２に供給されると、補正レベル情報選択手段１７ｊによって補正信号に対応した補正レベル情報を記憶するか否かを利用者等に選択させる。そして、利用者等に選択された補正レベル情報は補正レベル情報記憶手段１３に記憶されると、その補正レベル情報に基づいて信号が信号補正手段１６ｂによって補正されて信号出力手段１２に供給される。
【００２６】
このように、補正レベル情報生成装置１が生成した補正レベル情報に基づいて補正したテスト信号を信号出力手段１２に供給し、その出力に応じて補正レベル情報を記憶するか否かを利用者等に選択させ、該選択された補正レベル情報に基づいて補正した信号を信号出力手段１２に供給するようにしたことから、補正レベル情報生成装置１が生成した補正レベル情報に基づいて補正したテスト信号を利用者等に視聴させて確認させることができるため、利用者等は種々異なる補正カーブを示すより多くの補正レベル情報の中から実際に視聴して音場に適した補正レベル情報を選択することができる。従って、利用者等は複数の周波数帯を一つ一つ設定する必要がなくなるため、利用者等を煩わせることなく、好みの音場設定を支援することができる。
【００２７】
また、イコライザ装置２は、前記補正レベル情報記憶手段１３が記憶している補正レベル情報を変更する変更情報を取り込む変更情報取込手段１７ｋと、前記変更情報取込手段１７ｋが取り込んだ変更情報に基づいて、前記補正レベル情報記憶手段１３が記憶している補正レベル情報を変更する補正レベル情報変更手段１７ｌと、を有している。
【００２８】
このイコライザ装置２によれば、変更情報取込手段１７ｋによって変更情報が取り込まれると、補正レベル情報記憶手段１３が記憶している補正レベル情報が該変更情報に基づいて補正レベル情報変更手段１７ｌによって変更される。
【００２９】
このように、補正レベル情報記憶手段１３が記憶している補正レベル情報を取り込んだ変更情報に基づいて変更するようにしたことから、利用者等の選択した補正レベル情報が好みの音場に近い場合に、好みの音場に対応した補正レベル情報に少ない操作で変更することができるため、より好みに近い音場設定を効率的に支援することができる。
【００３０】
また、オーディオ装置１０は、請求項５又は６に記載のイコライザ装置２と、該イコライザ装置２に入力する前記信号を発生する信号発生手段１１と、該イコライザ装置２が供給する信号を出力する信号出力手段１２と、を有している。
【００３１】
このオーディオ装置１０によれば、補正レベル情報生成装置１が生成した補正レベル情報に基づいて補正したテスト信号はイコライザ装置２から信号出力手段１２に供給されると、信号出力手段１２はその信号を利用者等に対して出力する。そして、出力された信号を視聴した利用者等が補正レベル情報を選択すると、該補正レベル情報はイコライザ装置２によって記憶される。そして、信号発生手段１１が発生した信号は、前記利用者等に選択された補正レベル情報に基づいてイコライザ装置２によって補正されて信号出力手段１２に供給され、信号出力手段１２から利用者等に出力される。
【００３２】
このように、利用者等に補正レベル情報を選択させる機能を有するイコライザ装置２が信号発生手段１１によって発生された信号を補正して信号出力手段１２から出力させるようにしたことから、利用者等は信号出力手段１２から出力される信号を実際に視聴して補正レベル情報を選択することができるため、利用者等は種々異なる補正カーブを示すより多くの補正レベル情報の中から実際に視聴して音場に適した補正レベル情報を選択することができる。従って、利用者等は複数の周波数帯を一つ一つ設定する必要がなくなるため、利用者等を煩わせることなく、好みの音場設定を支援することができる。
【００３３】
また、補正レベル情報設定方法は、信号の周波数帯域に対応して予め定められた複数の周波数帯に対し、その周波数帯レベルを補正する補正レベルを示す補正レベル情報を生成し、利用者等の好みに適した前記補正レベル情報を前記利用者等に設定させる補正レベル情報設定方法であって、（イ）前記複数の周波数帯の中から任意に定められた第１周波数帯に対し、予め定められた第１設定範囲の中から第１補正レベルを任意に特定する過程と、（ロ）前記複数の周波数帯における第１周波数帯以外の第２周波数帯に対応した前記第１設定範囲よりも狭い範囲の第２設定範囲を、隣接する前記周波数帯の補正レベルに基づいて特定する過程と、（ハ）前記特定した第２設定範囲の中から前記第２周波数帯に対する第２補正レベルを任意に特定する過程と、（ニ）前記特定した第１補正レベルと第２補正レベルとに基づいて前記補正レベル情報を生成する過程と、（ホ）前記補正レベル情報に基づいてテスト信号を補正信号に補正する過程と、（ヘ）前記補正信号の出力に応じて、該補正信号に対応した補正レベル情報を記憶するか否かを利用者等に選択させる過程と、（ト）前記選択された補正レベル情報を前記利用者等に対応した補正レベル情報として設定する過程と、を有している。
【００３４】
この補正レベル情報設定方法によれば、複数の周波数帯の中から任意に定められた第１周波数帯に対し、予め定められた第１設定範囲の中から第１補正レベルを任意に特定されると、第１周波数帯以外の第２周波数帯に対応した第１設定範囲よりも狭い範囲の第２設定範囲が、隣接する前記周波数帯の補正レベルに基づいて特定される。そして、第２設定範囲の中から第２周波数帯に対する第２補正レベルが特定され、第１及び第２補正レベルに基づいて補正レベル情報が生成される。そして、該補正レベル情報に基づいてテスト信号が補正信号に補正され、出力された補正信号に対応する補正レベル情報が利用者等に選択されると、利用者等に対応した該補正レベル情報が設定される。
【００３５】
このように、第１周波数帯の第１補正レベルを第１設定範囲の中から特定し、第１設定範囲よりも範囲の狭い第２設定範囲を隣接する周波数帯に対して特定し、その範囲から第２補正レベルを特定し、それらの補正レベルに基づいて補正レベル情報を生成し、該補正レベルに基づいて補正したテスト信号を出力して利用者等に選択させて設定するようにしたことから、滑らかな補正カーブ等を示すより多くの補正レベル情報を利用者等に提供すること可能となり、利用者等は実際の視聴によって確認して選択できるため、複数の周波数帯を一つ一つ設定する必要がなくなる。従って、利用者等を煩わせることなく、好みの音場設定を支援することができる。
【実施例１】
【００３６】
次に、上述した補正レベル情報生成装置を有するイコライザ装置をオーディオ装置に組み込む場合の実施例１を以下に説明する。なお、図２は補正レベル情報生成装置及びイコライザ装置を組み込んだオーディオ装置の構成の一例を示す構成図であり、図３は周波数帯に対応した補正レベル情報を説明するための図であり、図４は図２の制御部が実行するイコライザ補正処理の一例を示すフローチャートであり、図５は図２の制御部が実行する実施例１に係る補正レベル情報生成処理の一例を示すフローチャートである。
【００３７】
図２において、オーディオ装置１は、上述した信号発生手段である情報再生部１１と、上述した信号出力手段である情報出力部１２と、メモリ部１３と、記憶部１４と、操作・表示部１５と、上述したテスト信号補正手段及び信号補正手段であるイコライザ部１６と、上述した第１補正レベル特定手段、第２設定範囲特定手段、第２補正レベル特定手段、補正レベル情報生成手段、第１設定範囲変更手段、第２設定範囲変更手段、周波数範囲選択手段、第１周波数帯特定手段、テスト信号発生手段、補正レベル情報選択手段、変更情報取込手段、及び、補正レベル情報変更手段である制御部１７と、を有している。
【００３８】
情報再生部１１は、制御部１７の制御下、ＣＤ（Compact Disc：ＣＤ−ＤＡ（Digital Audio）、ＣＤ−Ｒ、ＣＤ−Ｒ／Ｗ等の総称）、ＭＤ（Mini Disc）、ＤＶＤ（Digital Versatile Disc：ＤＶＤ−Audio、ＤＶＤ−Video、ＤＶＤ−Ｒ、ＤＶＤ−ＲＷ等の総称）、又はカード型記録媒体（例えば、メモリスティックやＳＤカード等）等の記録媒体に記録された楽曲情報等を再生することで、楽曲情報等に応じたデジタル音声信号などの音の信号を発生する。そして、該信号はイコライザ部１６を介して情報出力部１２に出力されるようになっている。
【００３９】
情報出力部１２は、図示しないが、情報再生部１１により再生された楽曲情報（デジタル音声信号）等を入力し、これをアナログ音声信号に変換するＤＡＣ（Digital-to-Analog Converter）、当該アナログ音声信号を増幅して出力するＡＭＰ（Amplifier）、及び増幅されたアナログ音声信号を音波として出力する複数のスピーカ等を備えており、楽曲情報をスピーカから出力するようになっている。複数のスピーカは、フロント、リア、ウーファー等の種類に応じて、利用者の視聴位置に対応するように屋内、車内等に設けられる。なお、ＤＡＣ若しくはＡＭＰの少なくとも一方をイコライザ部１６に設けることもできる。
【００４０】
メモリ部１３は、例えば不揮発性メモリ等が用いられ、制御部１７の処理作業に必要な各種データを格納する作業エリアや、補正レベル情報、補正レベルの発生に応じて随時更新される次ＢＡＮＤ情報、全ＢＡＮＤの数を示すＢＡＮＤ数情報などの各種データを格納する格納エリア等を有している。
【００４１】
補正レベル情報は、信号の周波数帯域に対応して予め定められた１３（複数）の周波数帯（以下、ＢＡＮＤという）に対応して補正レベルを示している。そして、本実施例では、図３に示すように、ＢＡＮＤ１が５０［Ｈｚ］、ＢＡＮＤ２が８０［Ｈｚ］、・・・、ＢＡＮＤ１３が１２．５ｋ［Ｈｚ］と任意に設定した場合について説明するが、ＢＡＮＤの数、周波数等は任意に設定することができる。
【００４２】
補正レベル情報は、各ＢＡＮＤに対して、補正レベルデータと、隣接するＢＡＮＤとのレベル差データと、を有している。例えば、ＢＡＮＤ２に対応するレベル差データには、ＢＡＮＤ２とＢＡＮＤ１とのレベル差（ＢＡＮＤ２−ＢＡＮＤ１）が設定され、ＢＡＮＤ１のレベル差データには、何も設定されない。そして、補正レベルは、−６〜＋６ステップの範囲で設定される構成となっており、１ステップは、１若しくは２［ｄＢ］等が任意に設定される。なお、本実施例では、先頭のＢＡＮＤ１から昇順に補正レベルデータを設定する場合について説明するが、任意のＢＡＮＤから昇順若しくは降順で設定する、又は、任意のＢＡＮＤから双方向に昇順及び降順で設定するなど種々異なる形態とすることができる。
【００４３】
記憶部１４は、制御部１７を上述した第１補正レベル特定手段、第２設定範囲特定手段、第２補正レベル特定手段、補正レベル情報生成手段、第１設定範囲変更手段、第２設定範囲変更手段、周波数範囲選択手段、第１周波数帯特定手段、テスト信号発生手段、補正レベル情報選択手段、変更情報取込手段、及び、補正レベル情報変更手段等として機能させるために、後述するイコライザ補正処理、補正情報生成処理などの各種プログラムを記憶する記憶エリア、イコライザ部１６の設定値を記憶する設定値記憶エリア等を有している。
【００４４】
操作・表示部１５は、例えばタッチパネル式の表示パネル（例えば液晶パネル）を備えており、制御部１７の制御下、利用者が各種選択を行う為の操作ボタン等を表示するようになっている。そして、操作ボタンが選択されると、当該操作ボタンに対応する選択データが制御部１７に入力される。なお、操作・表示部１５は、当該操作ボタンが設けられたリモコンを併用しても良い。
【００４５】
イコライザ部１６は、信号の周波数帯域に対して予め定められた複数の周波数帯に対応した複数のグラフィックイコライザ素子（以下、イコライザという）を有している。イコライザは、例えば、電気的に調整可能な可変抵抗素子と周波数帯域増幅器とを、有しており、前記周波数帯域の数だけ並列に接続して構成している。イコライザの各々は制御部１７に接続されており、制御部１７の制御の下、情報再生部１１等から入力される信号の周波数帯のレベルを上昇及び下降させて、情報出力部１２に出力する。なお、イコライザについては、周知であるデジタル信号プロセッサ（ＤＳＰ：digital signal processor）等によって構成することもできる。
【００４６】
制御部１７は、演算機能を有するＣＰＵ、ＤＳＰ等が用いられ、記憶部１４に記憶しているイコライザ補正処理、補正情報生成処理などを実行することで、上述した各種手段として機能することになる。そして、制御部１７は、メモリ部１３に記憶している補正レベル情報に基づいて、イコライザ部１６における前記イコライザ素子の各々のレベルを上昇及び下降させることで、信号の周波数帯毎のレベルを調整する構成となっている。
【００４７】
次に、上述した構成におけるオーディオ装置１０の制御部１７が実行するイコライザ補正処理の一例を、図４に示すフローチャートを参照して説明する。
【００４８】
制御部１７によってイコライザ補正処理が実行されると、ステップＳ１０において、補正レベル情報生成処理が実行され、補正レベル情報生成処理の終了に応じてステップＳ２０に進む。
【００４９】
図５に示すステップＳ１１１（第１補正レベル特定手段）において、ＢＡＮＤ１の補正レベルが、予め定められた第１設定範囲（−６〜＋６のレベル範囲）内で発生させた乱数として特定され、該乱数がＢＡＮＤ１の補正レベルデータとしてメモリ部１３に記憶され、その後ステップＳ１１２に進む。なお、補正レベルの発生については、予め定められたテーブル等から任意にレベルデータを抽出して特定する、または、補正レベル選択画面を操作・表示部１５に表示させ、利用者等が選択した結果から特定するなど種々異なる形態とすることができる。
【００５０】
ステップＳ１１２において、メモリ部１３の次ＢＡＮＤ情報に次のＢＡＮＤを示す識別データが設定され、ステップＳ１１３（第２設定範囲特定手段）において、第１設定範囲よりも狭く予め設定されて記憶部１４に記憶している初期範囲（例えば、レベル差が２〜４の範囲など）を、ＢＡＮＤ１の補正レベルデータに対応させて第２設定範囲が特定され、該第２設定範囲がメモリ部１３に記憶され、その後ステップＳ１１４に進む。
【００５１】
例えば、初期範囲のレベル差を“±２”とし、ＢＡＮＤ１の補正レベルが“１”の場合、第２設定範囲は補正レベルの“−１〜３”として特定される。このステップＳ１１２の処理が繰り返される毎に、ＢＡＮＤ３以降の設定範囲についても、前ＢＡＮＤの補正レベルと前記初期範囲とに基づいて各設定範囲が特定される。
【００５２】
なお、本実施例では、前ＢＡＮＤの補正レベルを中心として第２設定範囲を特定する場合について説明するが、本発明はこれに限定するものではなく、前ＢＡＮＤの補正レベルが、イコライザ素子の設定レベル範囲の上限若しくは下限に近い等の場合等では、前ＢＡＮＤの補正レベルを中心とする必要はない。
【００５３】
ステップＳ１１４（第２補正レベル特定手段）において、次ＢＡＮＤとのレベル差が、メモリ部１３の第２設定範囲内で発生させた乱数として特定され、該レベル差と前ＢＡＮＤの補正レベルデータと加算により次ＢＡＮＤの補正レベルデータ（第２補正レベル）が特定されてメモリ部１３に記憶され、その後ステップＳ１１５に進む。
【００５４】
ステップＳ１１５において、メモリ部１３の次ＢＡＮＤ情報とＢＡＮＤ数情報との比較結果に基づいて、全てのＢＡＮＤの補正レベルを設定したか否かが判定される。設定していないと判定された場合は（Ｓ１１５でＮ）、ステップＳ１１２に戻り、一連の処理が繰り返される。一方、設定したと判定された場合は（Ｓ１１５でＹ）、ステップＳ１１６に進む。
【００５５】
ステップＳ１１６（補正レベル情報生成手段）において、メモリ部１３のＢＡＮＤ１〜１３の補正レベルデータを有する上述した補正レベル情報が生成され、その後、ステップＳ１１７において、その補正レベル情報は予め定められた格納場所に記憶され、その後処理終了されて、イコライザ補正処理に復帰する。
【００５６】
一方、図４に示すステップＳ２０において、メモリ部１３の補正レベル情報が示す各ＢＡＮＤの補正レベルに基づいて、各ＢＡＮＤに対応した前記イコライザ素子のレベル変更がイコライザ部１６に要求されることで、イコライザ部１６の各イコライザ素子のレベルは補正レベル情報が示す補正レベルに変更され、その後ステップＳ３０に進む。
【００５７】
ステップＳ３０（テスト信号発生手段）において、記憶部１３に予め記憶しているテスト楽曲情報を情報再生部１１に出力されることで、情報再生部１１はテスト楽曲情報を再生して発生するテスト信号をイコライザ部１６に出力する。そして、イコライザ部１６は、入力されたテスト信号を補正した補正信号を情報出力部１２に供給し、この補正信号は情報出力部１２から利用者等に対して出力され、その後ステップＳ４０に進む。
【００５８】
ステップＳ４０において、情報出力部１２から出力している補正信号に対応した補正レベル情報を設定するか否か、及び、補正レベル情報の設定を変更するか否かを利用者等に確認するための設定確認画面情報が操作・表示部１５に出力されることで、操作・表示部１５には設定確認画面が表示され、その後ステップＳ５０に進む。
【００５９】
ステップＳ５０において、操作・表示部１５からの入力データに基づいて、補正レベル情報を設定するか否かが判定される。設定すると判定された場合は（Ｓ５０でＹ）、ステップＳ６０において、メモリ部１３の補正レベル情報が利用者等の固有の設定を示すカスタム補正情報として記憶され、その後処理が終了される。
【００６０】
一方、ステップＳ５０で設定しないと判定された場合は（Ｓ５０でＮ）、ステップＳ７０において、補正レベル情報の変更が要求されたか否かが判定される。変更が要求されたと判定された場合は（Ｓ７０でＹ）、ステップＳ８０（変更情報取込手段）において、操作・表示部１５を介して利用者等によって入力された各ＢＡＮＤに対する変更データが変更情報として取り込まれてメモリ部１３に記憶され、その後ステップＳ９０に進む。
【００６１】
ステップＳ９０（補正レベル情報変更手段）において、メモリ部１３の変更情報に基づいて補正レベル情報の該当するＢＡＮＤに対応した補正レベルデータが変更され、その後、ステップＳ３０に戻り、一連の処理を繰り返すことで、変更した補正レベル情報でテスト信号を補正して補正信号を情報出力部１２から出力する。そして、その補正レベル情報を設定するか否かを確認される。
【００６２】
一方、ステップＳ７０で変更が要求されていないと判定された場合は（Ｓ７０でＮ）、ステップＳ１００において、終了要求を受けたか否かが判定される。終了要求を受けていないと判定された場合は（Ｓ１００でＮ）、ステップＳ１０に戻り、一連の処理が繰り返される。一方、終了要求を受けたと判定された場合は（Ｓ１００でＹ）、ステップＳ１０１に進む。
【００６３】
ステップＳ１０１において、メモリ部１３のカスタム補正情報若しくは初期補正情報に基づいて、各ＢＡＮＤに対応した前記イコライザ素子のレベル変更がイコライザ部１６に要求されることで、イコライザ部１６の各イコライザ素子のレベルは変更開始前の補正レベルに戻され、その後処理を終了する。
【００６４】
次に、上述したオーディオ装置１０における利用者等による音場設定の変更を支援する場合の実施例１に係る動作（作用）の一例を以下に説明する。
【００６５】
オーディオ装置１０は、利用者等からイコライザ部１６の補正が操作・表示部１５を介して要求されると、図３に示すように、第１設定範囲（−６〜６）の中からＢＡＮＤ１の補正レベルを任意に“４”と特定し、該補正レベルに対応するように特定した第２設定範囲（２〜６）の中から、ＢＡＮＤ２の補正レベルを任意に“２”と特定する。そして、該補正レベルに対応するようにＢＡＮＤ３の第２設定範囲（０〜４）を特定し、ＢＡＮＤ３の補正レベルを任意に“１”と特定する。以下同様に、ＢＡＮＤ１３までの各補正レベルが特定されると、それらに基づいて補正レベル情報を生成してメモリ部１３に記憶するとともに、イコライザ部１６の各イコライザ素子のレベルを補正レベル情報に基づいて変更する。
【００６６】
情報再生部１１にテスト信号を発生させると、該テスト信号はイコライザ部１６によって補正レベル情報が示す各補正レベルで補正され、情報出力部１２から利用者等に対して出力される。そして、その補正信号を視聴した利用者等に、該補正信号に対応する補正レベル情報を設定する否かを選択させる。
【００６７】
設定しないと判定された場合は、再度、他の補正レベル情報を上述した手順で生成して利用者等に設定するかを判断させる。また、補正レベル情報の変更が要求された場合は、その補正レベル情報を変更するか否かを利用者等に確認し、変更する場合は、操作・表示部１５に各ＢＡＮＤの補正レベルを変更させる変更画面を表示させ、その変更画面の表示に応じて入力された変更データ等を有する変更情報を取り込んで、メモリ部１３の補正レベル情報をその変更情報に基づいて変更し、該変更した補正レベル情報に対応した補正信号を上述したように出力して、補正レベル情報を設定するか否かを確認する。
【００６８】
また、設定すると判断された場合は、メモリ部１３の補正レベル情報がカスタム補正情報として記憶される。そして、この設定以降、オーディオ装置１０は、このカスタム補正情報に基づいてイコライザ部１６を補正し、情報再生部１１で発生した信号の周波数特性がイコライザ部１６によって補正されて情報出力部１２から利用者等に出力される。
【００６９】
以上説明したオーディオ装置１０によれば、第１周波数帯の第１補正レベルを第１設定範囲の中から特定し、第１設定範囲よりも範囲の狭い第２設定範囲を隣接する周波数帯に対して特定し、その範囲から第２補正レベルを特定し、それらの補正レベルに基づいて補正レベル情報を生成し、該補正レベルに基づいて補正したテスト信号を出力して利用者等に選択させて設定するようにしたことから、滑らかな補正カーブ等を示すより多くの補正レベル情報を利用者等に提供すること可能となり、利用者等は実際の視聴によって確認して選択できるため、複数の周波数帯を一つ一つ設定する必要がなくなる。従って、利用者等を煩わせることなく、好みの音場設定を支援することができる。
【００７０】
また、メモリ部１３が記憶している補正レベル情報を取り込んだ変更情報に基づいて変更するようにしたことから、利用者等の選択した補正レベル情報が好みの音場に近い場合に、好みの音場に対応した変更レベル情報に少ない操作で変更することができるため、より好みに近い音場設定を効率的に支援することができる。
【実施例２】
【００７１】
次に、上述した構成のオーディオ装置１０の実施例２を以下に説明する。なお、上述した実施例１のところで説明した構成と同一あるいは相当する部分には同一符号を付してその詳細な説明は省略し、異なる部分のみを以下に説明する。
【００７２】
オーディオ装置１０は、上述した図２に示す情報再生部１１と、情報出力部１２と、メモリ部１３と、記憶部１４と、操作・表示部１５と、イコライザ部１６と、制御部１７と、を有している。
【００７３】
記憶部１４には、上述した図４に示すイコライザ補正処理と、該イコライザ補正処理から呼び出される実施例２にかかる図６に示す補正レベル情報生成処理と、を実行するための各種プログラムを記憶している。なお、イコライザ補正処理については、変更がないため、補正レベル情報生成処理に関する部分のみを、図６のフローチャートを参照して説明する。
【００７４】
上述した図４に示すイコライザ補正処理から呼び出されると、図６に示す補正レベル情報生成処理が実行され、ステップＳ１２１（周波数範囲選択手段）において、利用者等に低域強調モード、高域強調モード等の各モードを選択させるモード選択画面情報が操作・表示部１５に出力されることで、操作・表示部１５にはモード選択画面が表示され、その後ステップＳ１２２に進む。なお、本実施例では、周波数範囲をモードで選択させる場合について説明するが、利用者等に範囲を直接設定させることもできる。そして、記憶部１４には、低音域、高音域の各強調モードに対応した第１周波数帯を示す識別データを予め記憶している。
【００７５】
ステップＳ１２２（第１周波数帯特定手段）において、操作・表示部１５を介して利用者等に選択されたモードに対応する識別データを記憶部１４から抽出し、該識別データを選択されたモードデータとしてメモリ部１３に記憶され、その後ステップＳ１２３に進む。
【００７６】
ステップＳ１２３において、メモリ部１３のモードデータに基づいて、低域強調モードであると判定された場合は（Ｓ１２３でＹ）、ステップＳ１２４において、低域強調モードに対応したＢＡＮＤ１を示す識別データが記憶部１４から取得され、該識別データが次ＢＡＮＤ情報に設定されるとともに、ＢＡＮＤ１を先頭に全てのＢＡＮＤに対する順番が設定され、その後ステップＳ１２６に進む。
【００７７】
ステップＳ１２３において低域強調モードではない、つまり、高域強調モードであると判定された場合は（Ｓ１２３でＮ）、ステップＳ１２５において、高域強調モードに対応したＢＡＮＤ８を示す識別データが記憶部１４から取得され、該識別データが次ＢＡＮＤ情報に設定されるとともに、ＢＡＮＤ８を先頭にＢＡＮＤ９〜１３（昇順）、ＢＡＮＤ７〜１（降順）というように全てのＢＡＮＤに対する順番が設定され、その後ステップＳ１２６に進む。
【００７８】
ステップＳ１２６（第１補正レベル特定手段）において、先頭ＢＡＮＤの補正レベルが、予め定められた第１設定範囲（−６〜＋６のレベル範囲）内で発生させた乱数として特定され、該乱数が先頭ＢＡＮＤの補正レベルデータとしてメモリ部１３に記憶され、その後ステップＳ１２７に進む。なお、補正レベルの発生については、予め定められたテーブル等から任意にレベルデータを抽出して特定する、または、補正レベル選択画面を操作・表示部１５に表示させ、利用者等が選択した結果から特定するなど種々異なる形態とすることができる。
【００７９】
ステップＳ１２７において、メモリ部１３の次ＢＡＮＤ情報に、先に設定された次のＢＡＮＤを示す識別データが設定され、その後、ステップＳ１２８（第２設定範囲特定手段）において、第１設定範囲よりも狭く予め設定されて記憶部１４に記憶している初期範囲（例えば、レベル差が２〜４の範囲など）を、前ＢＡＮＤの補正レベルデータに対応させて第２設定範囲が特定され、メモリ部１３に記憶され、その後ステップＳ１２９に進む。
【００８０】
ステップＳ１２９において、メモリ部１３の次ＢＡＮＤ情報とＢＡＮＤ数情報との比較結果に基づいて、全てのＢＡＮＤの補正レベルをしたか否かが判定される。設定していないと判定された場合は（Ｓ１２９でＮ）、ステップＳ１２７に戻り、一連の処理が繰り返される。一方、設定したと判定された場合は（Ｓ１２９でＹ）、ステップＳ１３０に進む。
【００８１】
ステップＳ１３０（補正レベル情報生成手段）において、メモリ部１３のＢＡＮＤ１〜１３の補正レベルデータを有する上述した補正レベル情報が生成され、ステップＳ１３１において、その補正レベル情報は予め定められた格納場所に記憶され、その後処理終了されて、上述した図４に示すイコライザ補正処理に復帰する。そして、イコライザ補正処理は、実施例１で説明したステップＳ２０〜Ｓ１０１の一連の処理を行う。
【００８２】
次に、上述したオーディオ装置１０における利用者等による音場設定の変更を支援する場合の実施例２に係る動作（作用）の一例を以下に説明する。
【００８３】
オーディオ装置１０は、利用者等からイコライザ部１６の補正が操作・表示部１５を介して要求されると、モード選択画面によって低域強調モード、又は、高域強調モードを利用者等に選択させる。そして、低域強調モードが選択されると、第１周波数帯としてＢＡＮＤ１が設定され、また、高域強調モードが選択されると、第１周波数帯としてＢＡＮＤ８が設定される。そして、第２周波数帯は、上述したように予め定められた順番で設定される。
【００８４】
そして、実施例１で説明したように、第１設定範囲の中から第１周波数帯の補正レベルを任意に特定し、該補正レベルに対応するように、第１周波数帯以降の第２周波数帯の第２設定範囲を特定し、該第２設定範囲の中から第２周波数帯の補正レベルを任意に設定する。以下同様に、全ての周波数帯毎の補正レベルが特定されると、それらに基づいて補正レベル情報を生成してメモリ部１３に記憶するとともに、イコライザ部１６の各イコライザ素子のレベルを補正レベル情報に基づいて変更する。
【００８５】
情報再生部１１にテスト信号を発生させると、該テスト信号はイコライザ部１６によって補正レベル情報が示す各補正レベルで補正され、情報出力部１２から利用者等に対して出力される。そして、その補正信号を視聴した利用者等に、該補正信号に対応する補正レベル情報を設定する否かを選択させる。
【００８６】
設定しないと判定された場合は、再度、他の補正レベル情報を上述した手順で生成して利用者等に設定するかを判断させる。また、補正レベル情報の変更が要求された場合は、その補正レベル情報を変更するか否かを利用者等に確認し、変更する場合は、操作・表示部１５に各ＢＡＮＤの補正レベルを変更させる変更画面を表示させ、その変更画面の表示に応じて入力された変更データ等を有する変更情報を取り込んで、メモリ部１３の補正レベル情報をその変更情報に基づいて変更し、該変更した補正レベル情報に対応した補正信号を上述したように出力し、設定するか否かを確認する。
【００８７】
また、設定すると判断された場合は、メモリ部１３の補正レベル情報がカスタム補正情報として記憶される。そして、この設定以降、オーディオ装置１０は、このカスタム補正情報に基づいてイコライザ部１６を補正し、情報再生部１１で発生した信号の周波数特性がイコライザ部１６によって補正されて情報出力部１２から利用者等に出力される。
【００８８】
以上説明したオーディオ装置１０によれば、第１周波数帯の第１補正レベルを第１設定範囲の中から特定し、第１設定範囲よりも範囲の狭い第２設定範囲を隣接する周波数帯に対して特定し、その範囲から第２補正レベルを特定し、それらの補正レベルに基づいて補正レベル情報を生成し、該補正レベルに基づいて補正したテスト信号を出力して利用者等に選択させて設定するようにしたことから、滑らかな補正カーブ等を示すより多くの補正レベル情報を利用者等に提供すること可能となり、利用者等は実際の視聴によって確認して選択できるため、複数の周波数帯を一つ一つ設定する必要がなくなる。従って、利用者等を煩わせることなく、好みの音場設定を支援することができる。
【００８９】
また、信号の周波数帯域の中から任意の周波数範囲を低域強調モード若しくは高域強調モードとして利用者等に選択させ、その周波数範囲の中から第１周波数帯を特定して第１補正レベルを特定するようにしたことから、利用者等の好みを絞り込むことができるため、利用者等の好みの補正カーブに近い補正レベル情報を速やかに生成する可能性を高めることができる。従って、利用者等の好みをある程度絞り込めるため、速やかな音場設定に貢献することができる。
【００９０】
さらに、メモリ部１３が記憶している補正レベル情報を取り込んだ変更情報に基づいて変更するようにしたことから、利用者等の選択した補正レベル情報が好みの音場に近い場合に、好みの音場に対応した変更レベル情報に少ない操作で変更することができるため、より好みに近い音場設定を効率的に支援することができる。
【実施例３】
【００９１】
次に、上述した構成のオーディオ装置１０の実施例３を以下に説明する。なお、上述した実施例１、２のところで説明した構成と同一あるいは相当する部分には同一符号を付してその詳細な説明は省略し、異なる部分のみを以下に説明する。
【００９２】
オーディオ装置１０は、上述した図２に示す情報再生部１１と、情報出力部１２と、メモリ部１３と、記憶部１４と、操作・表示部１５と、イコライザ部１６と、制御部１７と、を有している。
【００９３】
記憶部１４には、上述した図４に示すイコライザ補正処理と、該イコライザ補正処理から呼び出される実施例３にかかる図７に示す補正レベル情報生成処理と、を実行するための各種プログラムを記憶している。なお、イコライザ補正処理については、変更がないため、実施例３に係る補正レベル情報生成処理に関する部分のみを、図７のフローチャートを参照して説明する。
【００９４】
また、記憶部１４には、ＢＡＮＤ１〜１３に対した補正テーブルを記憶している。該補正テーブルは、各ＢＡＮＤに対応した複数の初期範囲データを有している。例えば、上述した実施例１、２では、第２周波数帯の第２設定範囲を固定の初期範囲と前ＢＡＮＤの補正レベルとに基づいて設定していたが、実施例３では各ＢＡＮＤ毎に、その周波数帯に適した初期範囲を設定可能な構成となっている。例えば、より広範囲の中から補正レベルを特定させたい場合は、初期範囲を広く設定し、また、狭い範囲の中から補正レベルを特定させたい場合は、初期範囲を狭く設定する。そして、その周波数帯は、オーディオ装置１０の製造元で設定しても、利用者等に設定させてもよい。
【００９５】
上述した図４に示すイコライザ補正処理から呼び出されると、図７に示す補正レベル情報生成処理が実行され、ステップＳ１４１において、記憶部１４から上述した補正テーブルが抽出されてメモリ部１３に記憶され、その後ステップＳ１４２（第１補正レベル特定手段）において、ＢＡＮＤ１の補正レベルが、予め定められた第１設定範囲（−６〜＋６のレベル範囲）内で発生させた乱数として特定され、該乱数がＢＡＮＤ１の補正レベルデータとしてメモリ部１３に記憶され、その後ステップＳ１４３に進む。なお、補正レベルの発生については、予め定められたテーブル等から任意にレベルデータを抽出して特定する、または、補正レベル選択画面を操作・表示部１５に表示させ、利用者等が選択した結果から特定するなど種々異なる形態とすることができる。
【００９６】
ステップＳ１４３において、メモリ部１３の次ＢＡＮＤ情報に次のＢＡＮＤを示す識別データが設定され、ステップＳ１４４（第２設定範囲特定手段）において、次ＢＡＮＤ情報に対応した初期範囲データがメモリ部１３の補正テーブルから抽出され、該初期範囲データと前ＢＡＮＤの補正レベルとに基づいて、第１設定範囲よりも狭くなるように第２設定範囲が特定され、次ＢＡＮＤに対応するようにメモリ部１３に記憶され、その後ステップＳ１４５に進む。
【００９７】
ステップＳ１４５（第２補正レベル特定手段）において、次ＢＡＮＤとのレベル差が、メモリ部１３の第２設定範囲内で発生させた乱数として特定され、該レベル差と前ＢＡＮＤの補正レベルデータと加算により次ＢＡＮＤの補正レベルデータ（第２補正レベル）が特定されてメモリ部１３に記憶され、その後ステップＳ１４６に進む。
【００９８】
ステップＳ１４６において、メモリ部１３の次ＢＡＮＤ情報とＢＡＮＤ数情報との比較結果に基づいて、全てのＢＡＮＤの補正レベルをしたか否かが判定される。設定していないと判定された場合は（Ｓ１４６でＮ）、ステップＳ１４３に戻り、一連の処理が繰り返される。設定したと判定された場合は（Ｓ１４６でＹ）、ステップＳ１４７に進む。
【００９９】
ステップＳ１４７（補正レベル情報生成手段）において、メモリ部１３のＢＡＮＤ１〜１３の補正レベルデータを有する上述した補正レベル情報が生成され、ステップＳ１４８において、その補正レベル情報は予め定められた格納場所に記憶され、その後処理終了されて、イコライザ補正処理に復帰する。そして、イコライザ補正処理は、実施例１で説明したステップＳ２０〜Ｓ１０１の一連の処理を行う。
【０１００】
次に、上述したオーディオ装置１０における利用者等による音場設定の変更を支援する場合の実施例３に係る動作（作用）の一例を以下に説明する。
【０１０１】
オーディオ装置１０は、利用者等からイコライザ部１６の補正が操作・表示部１５を介して要求されると、実施例１と同様に、第１設定範囲の中からＢＡＮＤ１の補正レベルを任意に特定する。そして、該補正レベルとＢＡＮＤ２に対応した補正テーブルの初期範囲データとに基づいて第２設定範囲を特定する。そして、該第２設定範囲の中から、ＢＡＮＤ２の補正レベルを任意に特定する。同様に、該ＢＡＮＤ２の補正レベルとＢＡＮＤ３に対応した補正テーブルの初期範囲データとに基づいてＢＡＮＤ３の第２設定範囲を特定し、ＢＡＮＤ３の補正レベルを任意に特定する。以下同様に、ＢＡＮＤ１３までの各補正レベルが特定されると、それらに基づいて補正レベル情報を生成してメモリ部１３に記憶するとともに、イコライザ部１６の各イコライザ素子のレベルを補正レベル情報に基づいて変更する。
【０１０２】
情報再生部１１にテスト信号を発生させると、該テスト信号はイコライザ部１６によって補正レベル情報が示す各補正レベルで補正され、情報出力部１２から利用者等に対して出力される。そして、その補正信号を視聴した利用者等に、該補正信号に対応する補正レベル情報を設定する否かを選択させる。
【０１０３】
設定しないと判定された場合は、再度、他の補正レベル情報を上述した手順で生成して利用者等に設定するかを判断させる。また、補正レベル情報の変更が要求された場合は、その補正レベル情報を変更するか否かを利用者等に確認し、変更する場合は、操作・表示部１５に各ＢＡＮＤの補正レベルを変更させる変更画面を表示させ、その変更画面の表示に応じて入力された変更データ等を有する変更情報を取り込んで、メモリ部１３の補正レベル情報をその変更情報に基づいて変更し、該変更した補正レベル情報に対応した補正信号を上述したように出力し、設定するか否かを確認する。
【０１０４】
また、設定すると判断された場合は、メモリ部１３の補正レベル情報がカスタム補正情報として記憶される。そして、この設定以降、オーディオ装置１０は、このカスタム補正情報に基づいてイコライザ部１６を補正し、情報再生部１１で発生した信号の周波数特性がイコライザ部１６によって補正されて情報出力部１２から利用者等に出力される。
【０１０５】
以上説明したオーディオ装置１０によれば、第１周波数帯の第１補正レベルを第１設定範囲の中から特定し、第１設定範囲よりも範囲の狭い第２設定範囲を隣接する周波数帯に対して特定し、その範囲から第２補正レベルを特定し、それらの補正レベルに基づいて補正レベル情報を生成し、該補正レベルに基づいて補正したテスト信号を出力して利用者等に選択させて設定するようにしたことから、滑らかな補正カーブ等を示すより多くの補正レベル情報を利用者等に提供すること可能となり、利用者等は実際の視聴によって確認して選択できるため、複数の周波数帯を一つ一つ設定する必要がなくなる。従って、利用者等を煩わせることなく、好みの音場設定を支援することができる。
【０１０６】
また、実施例３では、ＢＡＮＤ毎の第２設定範囲を補正テーブルによって可変可能な構成としたことから、ＢＡＮＤ毎に適した第２設定範囲の中から第２周波数帯の第２補正レベルを特定することが可能となり、より的確な補正レベル情報を生成することができるため、音場設定の支援をより迅速に支援することができる。
【０１０７】
さらに、メモリ部１３が記憶している補正レベル情報を取り込んだ変更情報に基づいて変更するようにしたことから、利用者等の選択した補正レベル情報が好みの音場に近い場合に、好みの音場に対応した変更レベル情報に少ない操作で変更することができるため、より好みに近い音場設定を効率的に支援することができる。
【実施例４】
【０１０８】
次に、上述した構成のオーディオ装置１０の実施例４を以下に説明する。なお、上述した実施例１〜３のところで説明した構成と同一あるいは相当する部分には同一符号を付してその詳細な説明は省略し、異なる部分のみを以下に説明する。
【０１０９】
オーディオ装置１０は、上述した図２に示す情報再生部１１と、情報出力部１２と、メモリ部１３と、記憶部１４と、操作・表示部１５と、イコライザ部１６と、制御部１７と、を有している。
【０１１０】
記憶部１４には、上述した図４に示すイコライザ補正処理と、該イコライザ補正処理から呼び出される実施例４にかかる図８に示す補正レベル情報生成処理と、を実行するための各種プログラムを記憶している。なお、イコライザ補正処理については、変更がないため、実施例４に係る補正レベル情報生成処理に関する部分のみを、図８のフローチャートを参照して説明する。また、記憶部１４には、実施例３で説明した補正テーブルを記憶している。
【０１１１】
上述した図４に示すイコライザ補正処理から呼び出されると、図８に示す補正レベル情報生成処理が実行され、ステップＳ１５１において、利用者等に初期設定させる初期設定画面情報が操作・表示部１５に出力されることで、操作・表示部１５には初期設定画面が表示され、その後ステップＳ１５２に進む。なお、初期設定画面は、ＢＡＮＤ２以降の第２周波数帯に対応した第２設定範囲を利用者等に変更させるための各種入力部を複数有している。そして、その入力データは入力部に関連付けて操作・表示部１５から制御部１７に出力される。
【０１１２】
ステップＳ１５２において、操作・表示部１５からの入力データの中から変更データが収集されてメモリ部１３に記憶され、ステップＳ１５３（第２設定範囲変更手段）において、記憶部１４から上述した補正テーブルが抽出されてメモリ部１３に記憶され、メモリ部１３の変更データに基づいて、初期テーブルにおける該当する周波数帯の初期範囲データが変更されることで、第２補正設定範囲が変更され、その後ステップＳ１５４に進む。
【０１１３】
ステップＳ１５４（第１補正レベル特定手段）において、ＢＡＮＤ１の補正レベルが、予め定められた第１設定範囲（−６〜＋６のレベル範囲）内で発生させた乱数として特定され、該乱数がＢＡＮＤ１の補正レベルデータとしてメモリ部１３に記憶され、その後ステップＳ１５５に進む。なお、補正レベルの発生については、予め定められたテーブル等から任意にレベルデータを抽出して特定する、または、補正レベル選択画面を操作・表示部１５に表示させ、利用者等が選択した結果から特定するなど種々異なる形態とすることができる。
【０１１４】
ステップＳ１５５において、メモリ部１３の次ＢＡＮＤ情報に次のＢＡＮＤを示す識別データが設定され、ステップＳ１５６（第２設定範囲特定手段）において、次ＢＡＮＤ情報に対応した初期範囲データがメモリ部１３の補正テーブルから抽出され、該初期範囲データと前ＢＡＮＤの補正レベルとに基づいて、第１設定範囲よりも狭くなるように第２設定範囲が特定され、次ＢＡＮＤに対応するようにメモリ部１３に記憶され、その後ステップＳ１５７に進む。
【０１１５】
ステップＳ１５７（第２補正レベル特定手段）において、次ＢＡＮＤとのレベル差が、メモリ部１３の第２設定範囲内で発生させた乱数として特定され、該レベル差と前ＢＡＮＤの補正レベルデータと加算により次ＢＡＮＤの補正レベルデータ（第２補正レベル）が特定されてメモリ部１３に記憶され、その後ステップＳ１５８に進む。
【０１１６】
ステップＳ１５８において、メモリ部１３の次ＢＡＮＤ情報とＢＡＮＤ数情報との比較結果に基づいて、全てのＢＡＮＤの補正レベルをしたか否かが判定される。設定していないと判定された場合は（Ｓ１５８でＮ）、ステップＳ１５５に戻り、一連の処理が繰り返される。設定したと判定された場合は（Ｓ１５８でＹ）、ステップＳ１５９に進む。
【０１１７】
ステップＳ１５９（補正レベル情報生成手段）において、メモリ部１３のＢＡＮＤ１〜１３の補正レベルデータを有する上述した補正レベル情報が生成され、ステップＳ１６０において、その補正レベル情報は予め定められた格納場所に記憶され、その後処理終了されて、イコライザ補正処理に復帰する。そして、イコライザ補正処理は、実施例１で説明したステップＳ２０〜Ｓ１０１の一連の処理を行う。
【０１１８】
次に、上述したオーディオ装置１０における利用者等による音場設定の変更を支援する場合の実施例４に係る動作（作用）の一例を以下に説明する。
【０１１９】
オーディオ装置１０は、利用者等からイコライザ部１６の補正が操作・表示部１５を介して要求されると、初期設定画面によって第２設定範囲を変更させ、その画面表示に応じて入力された変更データに基づいて、補正テーブルの変更が行われる。そして、実施例１と同様に、第１設定範囲の中からＢＡＮＤ１の補正レベルを任意に特定する。そして、該補正レベルとＢＡＮＤ２に対応した補正テーブルの初期範囲データとに基づいて第２設定範囲を特定する。そして、該第２設定範囲の中から、ＢＡＮＤ２の補正レベルを任意に特定する。同様に、該ＢＡＮＤ２の補正レベルとＢＡＮＤ３に対応した補正テーブルの初期範囲データとに基づいてＢＡＮＤ３の第２設定範囲を特定し、ＢＡＮＤ３の補正レベルを任意に特定する。以下同様に、ＢＡＮＤ１３までの各補正レベルが特定されると、それらに基づいて補正レベル情報を生成してメモリ部１３に記憶するとともに、イコライザ部１６の各イコライザ素子のレベルを補正レベル情報に基づいて変更する。
【０１２０】
情報再生部１１にテスト信号を発生させると、該テスト信号はイコライザ部１６によって補正レベル情報が示す各補正レベルで補正され、情報出力部１２から利用者等に対して出力される。そして、その補正信号を視聴した利用者等に、該補正信号に対応する補正レベル情報を設定する否かを選択させる。
【０１２１】
設定しないと判定された場合は、再度、他の補正レベル情報を上述した手順で生成して利用者等に設定するかを判断させる。また、補正レベル情報の変更が要求された場合は、その補正レベル情報を変更するか否かを利用者等に確認し、変更する場合は、操作・表示部１５に各ＢＡＮＤの補正レベルを変更させる変更画面を表示させ、その変更画面の表示に応じて入力された変更データ等を有する変更情報を取り込んで、メモリ部１３の補正レベル情報をその変更情報に基づいて変更し、該変更した補正レベル情報に対応した補正信号を上述したように出力し、設定するか否かを確認する。
【０１２２】
また、設定すると判断された場合は、メモリ部１３の補正レベル情報がカスタム補正情報として記憶される。そして、この設定以降、オーディオ装置１０は、このカスタム補正情報に基づいてイコライザ部１６を補正し、情報再生部１１で発生した信号の周波数特性がイコライザ部１６によって補正されて情報出力部１２から利用者等に出力される。
【０１２３】
以上説明したオーディオ装置１０によれば、第１周波数帯の第１補正レベルを第１設定範囲の中から特定し、第１設定範囲よりも範囲の狭い第２設定範囲を隣接する周波数帯に対して特定し、その範囲から第２補正レベルを特定し、それらの補正レベルに基づいて補正レベル情報を生成し、該補正レベルに基づいて補正したテスト信号を出力して利用者等に選択させて設定するようにしたことから、滑らかな補正カーブ等を示すより多くの補正レベル情報を利用者等に提供すること可能となり、利用者等は実際の視聴によって確認して選択できるため、複数の周波数帯を一つ一つ設定する必要がなくなる。従って、利用者等を煩わせることなく、好みの音場設定を支援することができる。
【０１２４】
また、実施例４では、ＢＡＮＤ毎の第２設定範囲を利用者等に変更させるようにしたことから、第２補正レベルに利用者等の好みを反映することができるため、利用者等の好みの補正カーブに近い補正レベル情報を速やかに生成する可能性を高めることができる。従って、利用者等の好みをある程度絞り込めるため、速やかな音場設定に貢献することができる。
【０１２５】
さらに、メモリ部１３が記憶している補正レベル情報を取り込んだ変更情報に基づいて変更するようにしたことから、利用者等の選択した補正レベル情報が好みの音場に近い場合に、好みの音場に対応した変更レベル情報に少ない操作で変更することができるため、より好みに近い音場設定を効率的に支援することができる。
【０１２６】
なお、上述した実施例４では、第２設定範囲を変更する場合について説明したが、制御部１７をさらに第１設定範囲変更手段として機能させて、上述した初期設定画面等で第１設定範囲を変更可能な構成とすれば、より一層利用者等の好みに近い補正レベル情報を生成することができるため、速やかな音場設定に貢献することができる。
【０１２７】
また、上述した実施例１〜４では、第１補正レベル特定手段が乱数を発生させて第１補正レベルを特定する場合について説明したが、該第１補正レベルを利用者等に選択させる構成とすれば、より一層利用者等の好みに近い補正レベル情報を生成することができるため、速やかな音場設定に貢献することができる。
【０１２８】
さらに、上述した実施例１〜４では、オーディオ装置１０について説明したが、イコライザ装置２に上述した制御を行う制御手段を設けることで、単体のイコライザ装置２としての提供を可能とすることができる。
【図面の簡単な説明】
【０１２９】
【図１】本発明に係る補正レベル情報生成装置及びイコライザ装置を有するオーディオ装置の基本構成の一例を示す構成図である。
【図２】補正レベル情報生成装置及びイコライザ装置を組み込んだオーディオ装置の構成の一例を示す構成図である。
【図３】周波数帯に対応した補正レベル情報を説明するための図である。
【図４】図２の制御部が実行するイコライザ補正処理の一例を示すフローチャートである。
【図５】図２の制御部が実行する実施例１に係る補正レベル情報生成処理の一例を示すフローチャートである。
【図６】図２の制御部が実行する実施例２に係る補正レベル情報生成処理の一例を示すフローチャートである。
【図７】図２の制御部が実行する実施例３に係る補正レベル情報生成処理の一例を示すフローチャートである。
【図８】図２の制御部が実行する実施例４に係る補正レベル情報生成処理の一例を示すフローチャートである。
【符号の説明】
【０１３０】
１    補正レベル情報生成装置
２    イコライザ装置
１０    オーディオ装置
１１    信号発生手段（情報生成部）
１２    信号出力手段（情報出力部）
１３    補正レベル記憶手段（メモリ部）
１６ａ    テスト信号補正手段（イコライザ部）
１６ｂ    信号補正手段（イコライザ部）
１７ａ    第１補正レベル特定手段（制御部）
１７ｂ    第２設定範囲特定手段（制御部）
１７ｃ    第２補正レベル特定手段（制御部）
１７ｄ    補正レベル情報生成手段（制御部）
１７ｅ    第１設定範囲変更手段（制御部）
１７ｆ    第２設定範囲変更手段（制御部）
１７ｇ    周波数範囲選択手段（制御部）
１７ｈ    第１周波数帯特定手段（制御部）
１７ｉ    テスト信号発生手段（制御部）
１７ｊ    補正レベル情報選択手段（制御部）
１７ｋ    変更情報取込手段（制御部）
１７ｌ    補正レベル情報変更手段（制御部）
【図１】
2007134879.tif 000003
【図２】
2007134879.tif 000004
【図３】
2007134879.tif 000005
【図４】
2007134879.tif 000006
【図５】
2007134879.tif 000007
【図６】
2007134879.tif 000008
【図７】
2007134879.tif 000009
【図８】
2007134879.tif 000010